(57)【要約】【課題】操作スイッチの誤操作や、地区表示ラベルの盗難などの悪戯を防止する。【解決手段】火災の発生した監視エリアを表示する地区灯表示部１１、火災処理のために必要な操作を行うための操作スイッチ１２を設けた表示／操作パネルＳを有した火災受信機において、上記火災受信機本体１は、上記表示／操作パネルＳのうち、上記地区灯表示部１１のみを露見させる窓部３を開設した前扉２を設ける。【選択図】図１
2004342070.tif 000002
【特許請求の範囲】
【請求項１】
火災の発生した監視エリアを表示する地区灯表示部、火災処理のために必要な操作を行うための操作スイッチを設けた表示／操作パネルを有した火災受信機において、
上記火災受信機本体は、上記表示／操作パネルのうち、上記地区灯表示部のみを露見させる窓部を開設した前扉を設けたことを特徴とする火災受信機。
【請求項２】
請求項１において、
上記前扉の窓部には、透明カバーを設けていることを特徴とする火災受信機。
【請求項３】
火災の発生した監視エリアを表示する地区灯表示部、火災処理のために必要な操作を行うための操作スイッチを設けた表示／操作パネルを有した火災受信機において、
上記火災受信機本体は、上記表示／操作パネルのうち、上記地区灯表示部、操作スイッチを設けている部分のみを露見させる窓部を開設した前扉を設け、且つ、上記窓部には透明カバーを設けていることを特徴とする火災受信機。
【請求項４】
請求項１〜３の何れかにおいて、
上記前扉は、閉状態を施錠保持する鍵部を設けていることを特徴とする火災受信機。
【請求項５】
火災の発生した監視エリアを表示する地区灯表示部、火災処理のために必要な操作を行うための操作スイッチを設けた表示／操作パネルを有した火災受信機において、
上記火災受信機本体は、上記表示／操作パネルのうち、上記地区灯表示部のみを露見させる窓部を開設しており、
上記地区灯表示部は、監視エリアが記載された地区表示ラベルと、一側方に開口を形成したラベル収容部を備え、このラベル収容部の開口に、上記地区表示ラベルを挿脱可能にしていることを特徴とする火災受信機。
【請求項６】
火災の発生した監視エリアを表示する地区灯表示部，火災処理のために必要な操作を行うための操作スイッチを設けた表示／操作パネルを有し、
上記火災受信機本体は、上記表示／操作パネルのうち、上記地区灯表示部のみを露見させる窓部を開設した前扉を設け、
上記地区灯表示部は、監視エリアが記載された地区表示ラベルと、一側方に開口を形成したラベル収容部を備え、このラベル収容部の開口に、上記地区表示ラベルを挿脱可能にしている火災受信機において、
上記ラベル収容部の開口側部には小突起を形成する一方、上記地区表示ラベルには、この小突起を嵌入突出させる止孔を形成していることを特徴とする火災受信機。
【請求項７】
火災の発生した監視エリアを表示する地区灯表示部、火災処理のために必要な操作を行うための操作スイッチを設けた表示／操作パネルを有し、
上記火災受信機本体は，上記表示／操作パネルのうち、上記地区灯表示部、操作スイッチを設けている部分のみを露見させる窓部を開設した前扉を設け、
上記地区灯表示部は、監視エリアが記載された地区表示ラベルと、一側方に開口を形成したラベル収容部を備え、このラベル収容部の開口に、上記地区表示ラベルを挿脱可能にしている火災受信機において、
ラベル収容部の開口側部には小突起を形成する一方、地区表示ラベルには、この小突起を嵌入突出させる止孔を形成していることを特徴とする火災受信機。
【請求項８】
請求項６、７のいずれかにおいて、
上記ラベル収容部の小突起と、上記地区表示ラベルの止孔とは、上記前扉を閉じたときには、上記窓部からは露見しない構造にしていることを特徴とする火災受信機。
【発明の詳細な説明】
【技術分野】
【０００１】
本発明は、火災防災システム等において集中管理を行う火災受信機に関する。
【背景技術】
【０００２】
一般に、例えばビルの各部屋や各階には、火災感知器や煙感知器等が配置されているが、これらの各感知器は、中継器を介して火災受信機に送出され、その火災受信機は、例えばロビーなどの共用部分に設置されている。
【０００３】
上記火災受信機は、火災受信機本体と、これに開閉自在な前扉とからなり、この前扉には、貫通された窓部を開設している。
【０００４】
また、火災受信機本体には、火災の発生した監視エリアを表示する地区灯表示部を備える他、非常ベルを鳴動したり、防火シャッタ等を閉じたり等の火災処理のために必要な操作を行うための操作スイッチを設けた表示／操作パネルを有している。
【０００５】
そして、火災等が生じたときには、上記窓部を通じて、上記表示／操作パネルの操作スイッチを操作して火災処理を行なうのである（例えば、特許文献１参照。）。
【０００６】
【特許文献１】実開平５−８７６８８号公報
【発明の開示】
【発明が解決しようとする課題】
【０００７】
しかしながら、従来の火災受信機では、前扉に開設された窓部が貫通され、そこには上記表示／操作パネルが露出された構造になっていた。
【０００８】
そのため、火災処理のために必要な操作を行うための上記操作スイッチを悪戯で操作されてしまい、非常ベルの鳴動や、防火シャッタ等が誤動作されてしまうという問題がある。
【０００９】
また、上記表示／操作パネルには、監視エリアを文字等で記載した地区表示ラベルが前方から挿脱可能な構造に設けられているが、この地区表示ラベルを悪戯で取り外してしまい、盗難されるという問題もあった。
【００１０】
本発明は、このような事情に鑑みて、操作スイッチの誤操作や、地区表示ラベルの盗難などの悪戯を防止できる火災受信機を提供することを目的としている。
【課題を解決するための手段】
【００１１】
上記目的を達成するため、
請求項１に係る火災受信機は、火災の発生した監視エリアを表示する地区灯表示部、火災処理のために必要な操作を行うための操作スイッチを設けた表示／操作パネルを有した火災受信機において、上記火災受信機本体は、上記表示／操作パネルのうち、上記地区灯表示部のみを露見させる窓部を開設した前扉を設けたことを特徴とする。
【００１２】
このものでは、前扉に開設された窓部からは、地区灯表示部のみが露見し、操作スイッチは露見されない構造にしているので、上記前扉を開放しない限り、操作スイッチを操作することができず、悪戯を防止できる。
【００１３】
また、上記操作スイッチは、単独でも複数の操作スイッチを設けた操作スイッチ群でも構わない。
【００１４】
請求項２に係る火災受信機は、請求項１において、上記前扉の窓部には、透明カバーを設けていることを特徴とする。
【００１５】
このものでは、窓部に透明カバーを取り付けているので、地区灯表示部への悪戯も防止できる。
【００１６】
請求項３に係る火災受信機は、火災の発生した監視エリアを表示する地区灯表示部、火災処理のために必要な操作を行うための操作スイッチを設けた表示／操作パネルを有した火災受信機において、上記火災受信機本体は、上記表示／操作パネルのうち、上記地区灯表示部、操作スイッチを設けている部分のみを露見させる窓部を開設した前扉を設け、且つ、上記窓部には透明カバーを設けていることを特徴とする。
【００１７】
このものでは、窓部に透明カバーを設けた構造にしているので、上記前扉を開放しない限り、操作スイッチや地区灯表示部に触れることができず、悪戯を防止できる。
【００１８】
請求項４に係る火災受信機は、請求項１〜３の何れかにおいて、上記前扉は、閉状態を施錠保持する鍵部を設けていることを特徴とする。
【００１９】
このものでは、鍵で開錠しなければ前扉を開放できないので、操作スイッチや地区灯表示部に対する悪戯を確実に防止できる。
【００２０】
請求項５に係る火災受信機は、火災の発生した監視エリアを表示する地区灯表示部、火災処理のために必要な操作を行うための操作スイッチを設けた表示／操作パネルを有した火災受信機において、上記火災受信機本体は、上記表示／操作パネルのうち、上記地区灯表示部のみを露見させる窓部を開設しており、上記地区灯表示部は、監視エリアが記載された地区表示ラベルと、一側方に開口を形成したラベル収容部を備え、このラベル収容部の開口に、上記地区表示ラベルを挿脱可能にしていることを特徴とする。
【００２１】
このものでは、地区表示ラベルは、ラベル収容部の一側方からしか挿脱できないので、上記前扉を開放しない限り、地区表示ラベルを取り外すことができず、悪戯による地区表示ラベルの盗難を防止できる。
【００２２】
また、同時に提案する請求項６に係る火災受信機は、火災の発生した監視エリアを表示する地区灯表示部、火災処理のために必要な操作を行うための操作スイッチを設けた表示／操作パネルを有し、上記火災受信機本体は，上記表示／操作パネルのうち、上記地区灯表示部のみを露見させる窓部を開設した前扉を設け、上記地区灯表示部は、監視エリアが記載された地区表示ラベルと、一側方に開口を形成したラベル収容部を備え、このラベル収容部の開口に、上記地区表示ラベルを挿脱可能にしている火災受信機において、上記ラベル収容部の開口側部には小突起を形成する一方、上記地区表示ラベルには、この小突起を嵌入突出させる止孔を形成していることを特徴としている。
【００２３】
請求項７に係る火災受信機は、火災の発生した監視エリアを表示する地区灯表示部，火災処理のために必要な操作を行うための操作スイッチを設けた表示／操作パネルを有し、
上記火災受信機本体は、上記表示／操作パネルのうち、上記地区灯表示部、操作スイッチを設けている部分のみを露見させる窓部を開設した前扉を設け、上記地区灯表示部は、監視エリアが記載された地区表示ラベルと、一側方に開口を形成したラベル収容部を備え、このラベル収容部の開口に、上記地区表示ラベルを挿脱可能にしている火災受信機において、上記ラベル収容部の開口側部には小突起を形成する一方、上記地区表示ラベルには、この小突起を嵌入突出させる止孔を形成していることを特徴としている。
請求項８に記載の火災受信機は、請求項６、７のいずれかにおいて、上記ラベル収容部の小突起と、上記地区表示ラベルの止孔とは、上記前扉を閉じたときには、上記窓部からは露見しない構造として、悪戯防止を図っている。この態様においても、窓部には、透明カバーを設けておけば、防犯対策上、一層有益である。
なお、以上の本発明において、地区灯表示部は地区表示ラベルを設けた箇所のみを意味するものではなく、その近傍に設けた各種の表示部、操作スイッチを設けた部分を含むものであって、窓部からは、これらの表示部や、操作部スイッチが露見することが望ましい。
【発明の効果】
【００２４】
請求項１に係る火災受信機によれば、前扉に開設された窓部からは、地区灯表示部のみが露見し、操作スイッチは露見されない構造にしているので、上記前扉を開放しない限り、操作スイッチを操作することができず、悪戯を防止できる。
【００２５】
請求項２に係る火災受信機によれば、窓部に透明カバーを取り付けているので、地区灯表示部への悪戯も防止できる。
【００２６】
請求項３に係る火災受信機によれば、窓部に透明カバーを設けた構造にしているので、上記前扉を開放しない限り、操作スイッチや地区灯表示部に触れることができず、悪戯を防止できる。
【００２７】
請求項４に係る火災受信機によれば、鍵で開錠しなければ前扉を開放できないので、操作スイッチや地区灯表示部に対する悪戯を確実に防止できる。
【００２８】
請求項５に係る火災受信機によれば、地区表示ラベルは、ラベル収容部の一側方からしか挿脱できないので、上記前扉を開放しない限り、地区表示ラベルを取り外すことができず、悪戯による地区表示ラベルの盗難を防止できる。
【００２９】
請求項６，７に係る火災受信機によれば、地区表示ラベルをラベル収容部の側面開口から挿入したときに、小突起が止孔に嵌入されるのでしっかりと固定され、輸送時の振動、傾き等による地区表示ラベルの不用意なズレ，脱落が防止できる。
請求項８に係る火災受信機によれば、前扉を閉じたときには、ラベル収容部の小突起と、地区表示ラベルの止孔とは窓部からは露見しないので、悪戯防止が図れる。また、この態様においても、窓部に透明カバーを設けた構造にしておけば、防犯対策上、一層有益である。
【発明を実施するための最良の形態】
【００３０】
図１は、本発明に係る火災受信機の第一実施例を示す斜視図、図２は、本発明に係る火災受信機の第二実施例を示す斜視図、図３は、本発明に係る火災受信機の第三実施例を示す斜視図、図７は火災受信機の基本構成を示す図である。
【００３１】
ここで、共通の部位には、同一の番号を付し、重複の説明は省略している。
【００３２】
以下、これら図面を参照して本発明の実施例を説明する。
【実施例１】
【００３３】
先ず、図７を参照して火災受信機Ａの全体を概略して説明すると、例えば、ビルの各部屋や各階には、各種の感知器及び発信機が配置され、その発報信号が中継器Ｌ１〜Ｌｎを介して受信されると、例えばロビーなどの共用部分に設置されている火災受信機Ａの火災信号処理部１０は、火災発生場所を地区灯表示部１１に表示すると共に、火災警報手段１３によるスピーカ等からの火災警報音や音声メッセージを鳴動する。
【００３４】
また、火災警報手段１３の解除操作、又は非常ベルの鳴動、或いは、防火シャッタの開閉動作等の火災処理のために必要な操作を操作スイッチ１２の操作によって行うのである。
【００３５】
本発明の火災受信機Ａは、以下のような構造である。
【００３６】
図１の火災受信機Ａは、火災受信機本体１と、これに開閉自在な前扉２とからなり、この前扉２には、貫通された窓部３を開設している。
【００３７】
火災受信機本体１には、火災の発生した監視エリアを表示する地区灯表示部１１と、非常ベルを鳴動したり、防火シャッタ等を閉じたり等の火災処理のために必要な操作を行うための操作スイッチ１２と、からなる表示／操作パネルSを備えている。
【００３８】
前扉２には、表示／操作パネルSのうち、地区灯表示部１１のみを露見させる窓部３を開設している。
【００３９】
この窓部３は、地区灯表示部１１の配置に応じた貫通口であれば良く、この窓部３にガラス、樹脂板などの透明カバー３１を設けることもできる。
【００４０】
また、前扉２の開放端には、閉状態を施錠保持する鍵部４を設けても良く、鍵（不図示）を用いなければ前扉２の開放を規制することもできる。
【００４１】
このような火災受信機Aによれば、図１の上図に示すように、前扉２を閉止した状態では、窓部３から地区灯表示部１１のみが露見された状態となり、操作スイッチ１２は露見されない構造にしている。
【００４２】
そのため、図１の下図に示すように、前扉２を開放しない限り、操作スイッチ１２を操作することができないので、操作スイッチ１２に対しての悪戯を防止できる。
【００４３】
また、鍵部４を設ければ、鍵（不図示）で開錠しなければ前扉２を開放できないので、操作スイッチ１２に対する悪戯を確実に防止できる。
【００４４】
図２の火災受信機Ａは、火災受信機本体１の表示／操作パネルSのうち、地区灯表示部１１、操作スイッチ１２を設けている部分を露見させる窓部３を開設した前扉２を設け、且つ、窓部３にはガラス、樹脂板等の透明カバー３１を設けたものである。
【００４５】
このものは、窓部３の構造自体は、従来のものと同構造を採るが、その窓部３に透明カバー３１を設けている点で異なる。
【００４６】
そのため、この火災受信機Ａによれば、窓部３に透明カバー３１を設けた構造にしているので、前扉２を開放しない限り、操作スイッチ１１や地区灯表示部１２に触れることができず、悪戯を防止できる。
また、従来の窓部３に透明カバー３１を設けるだけで良く、従来品を利用できるうえ、その製造も容易である。
【００４７】
図３の火災受信機Ａは、表示／操作パネルＳのうち、地区灯表示部１１のみを露見させる窓部３を開設している点では、図１と同じであるが、この窓部３に上記透明カバーを設けていない。
【００４８】
また、この地区灯表示部１１は、図１のものとは構造が相違しており、監視エリアが記載された地区表示ラベル５と、一側方に開口６１を形成したラベル収容部６を備え、このラベル収容部６の開口６１に、地区表示ラベル１１を挿脱可能にしている。
【００４９】
例えば、窓部３に露見されている地区灯表示部１１の位置に、板状又はフィルム状のラベル収容部６を固着する。
【００５０】
このラベル収容部６の前面には、複数の袋状に形成された透明なフィルムを一体形成しており、個々の袋状の一側方に開口６１を形成することで、地区表示ラベル５を側方からのみ挿脱可能にすると共に、上記フィルムを透して地区表示ラベル５を前面から目視できるようにしている。
【００５１】
このような火災受信機Ａによれば、地区表示ラベル５は、ラベル収容部６の一側方からしか挿脱できないので、前扉２を開放しない限り、地区表示ラベル５を取り外すことができず、悪戯による地区表示ラベル５の盗難を防止できる。
【００５２】
図４、図５は請求項６、７において提案された、地区灯表示部の構造に特徴を有した火災受信機の一例、図６は、その火災受信機に使用される地区表示ラベルの一例を示している。図１〜図３における同一符号は、同じ対応した部分を示し、説明は省略する。
この例では、火災受信機Ａの地区灯表示部１１は、監視エリア名などの監視項目を記した地区表示ラベル５を、火災受信機Ａの内器１４の前面に形成したラベル収容部６の側面開口６ａから挿脱できるようになっており、ラベル収容部６は、ランプ表示部６ａと、ネーム表示欄６ｂとを列状に配置形成した表示プレート６１を、内器１４の前面に取付けて形成されており、表示プレート６１のランプ表示部６ａとネーム表示部６ｂとは透光部に形成して、内器１４側に設けた地区ランプ（不図示）や、地区表示ラベル５のネーム表示欄５ｂに記された監視項目名が視認できるようになっている。
また、ラベル収容部６の側面開口６ｃの近傍で、火災受信機Ａの内器１４側には、地区表示ラベル５の一方側端に形成した止孔５ｃに挿入して、地区表示ラベル５を固定するための小突起６ｄが形成されており、地区表示ラベル５は、ラベル収容部６の側面開口６ｃから収容したときには、その止孔５ｃに小突起６ｄを挿入突出させて固定されるようになっている。
【００５３】
図を参照して説明すると、図４は、地区表示ラベル５をラベル収容部６から取り外している状態、図５は地区表示ラベル５をラベル収容部６に収容している状態を示している。地区表示ラベル５をラベル収容部６の側面開口６ｃから破線矢印の方向に挿入すると、小突起６ｄは地区表示ラベル５の止孔５ｃに挿入されるので、地区表示ラベル５は不用意にズレたり、抜け落ちたりすることが防止され、また、地区表示ラベル５を取り外す場合には、止孔５ｃから小突起６ｄが抜け出るようにして地区表示ラベル５を上方に引き上げながら、ラベル収容部６の側面開口６ｃから外側方向に引き出す。
【００５４】
図６は、地区表示ラベル５の一例をより詳細に示しており、１枚のプレート５０の一方側端には一組の止孔５ｃを形成し、複数列形成されたネーム表示欄５ｂそれぞれの前方には、地区灯（不図示）を露見させるための孔部５ａを形成している。ネーム表示欄５ｂには、監視回線や監視項目が記入される。
【００５５】
このようにすると、地区表示ラベル５をラベル収容部６に収納させた状態では、振動、傾き等に強くなるので、位置ズレを生じたり、不用意な脱落が防止できる。
なお、ラベル収容部６に設けた小突起６ｄや、地区ラベル５に設けた止孔５ｃは、前扉２を閉じたときに、窓部３から露見しない位置に設けることが防犯上望ましい。
【図面の簡単な説明】
【００５６】
【図１】本発明に係る火災受信機の第一実施例を示す斜視図である。
【図２】本発明に係る火災受信機の第二実施例を示す斜視図である。
【図３】本発明に係る火災受信機の第三実施例を示す斜視図である。
【図４】本発明に係る火災受信機と、地区表示部の構造的特徴を示す図（地区表示ラベルをラベル収容部から取り外す要領を示す）である。
【図５】地区表示部の構造的特徴を示す図（地区表示ラベルをラベル収容部に挿入する状態を示す）である。
【図６】地区表示ラベルの詳細を示す図である。
【図７】火災受信機の全体を概略したブロック図である。
【符号の説明】
【００５７】
Ａ    火災受信機
Ｓ    表示／操作パネル
１    火災受信機本体
１１  地区灯表示部
１２  操作スイッチ
２    前扉
３    窓部
３１  透明カバー
４    鍵部
５    地区表示ラベル
５ｃ  止孔
６    ラベル収容部
６ｃ  側面開口
６ｄ  小突起
【図１】
2004342070.tif 000003
【図２】
2004342070.tif 000004
【図３】
2004342070.tif 000005
【図４】
2004342070.tif 000006
【図５】
2004342070.tif 000007
【図６】
2004342070.tif 000008
【図７】
2004342070.tif 000009